(57)【要約】【課題】片手で操作するルアーロッドのような軽量な釣竿において、トータル重量を抑えると共に、操作性が最も向上するようにバランスがとれたグリップ部を有する釣竿を提供する。【解決手段】本発明の釣竿は、リール５０が装着される操作部Ｌ１の後方側にグリップ部２を設けた構成において、グリップ部２は、前方側に低比重化領域Ｌ３、その後方に高比重化領域Ｌ４を有することを特徴とする。【選択図】    図２
2005130767.tif 000002
【特許請求の範囲】
【請求項１】
リールが装着される操作部の後方側にグリップ部を設けた釣竿において、
前記グリップ部は、前方側に低比重化領域、その後方に高比重化領域を有することを特徴とする釣竿。
【請求項２】
前記低比重化領域の単位体積あたりの比重は、１．０以下、前記高比重化領域の単位体積あたりの比重は、５．０以上であることを特徴とする請求項１に記載の釣竿。
【請求項３】
前記グリップ部の全長は、１５０ｍｍ以上であり、グリップ部単体での重心位置は、グリップ部全長の７０％より元側に位置することを特徴とする請求項１又は２に記載の釣竿。
【発明の詳細な説明】
【技術分野】
【０００１】
本発明は、釣竿に関し、詳細には、ルアーロッドや軽量船竿など、片手で操作可能な釣竿に関する。
【背景技術】
【０００２】
従来、片手で操作可能な軽量な釣竿には、リールが装着される部分（操作部）の後方側に、所定長さのグリップ部を装着したものがある。そして、このようなグリップ部には、しゃくり操作や投げ操作をした際に、慣性力を生じさせて操作性が向上するように、後端に重量体（バランサ）を装着することが行なわれている。例えば、特許文献１には、元竿の端部に設けられたバランサ保持体の基端側端面に複数の保持孔を形成しておき、ここに金属で構成されたバランサを挿入可能にした釣竿が開示されている。
【特許文献１】特開２００１−２６９０８８号
【発明の開示】
【発明が解決しようとする課題】
【０００３】
ところが、上記したように、一般的に行なわれている釣竿の基端部にバランサを設けただけの構成では、その重量バランスについて何等考慮されていないことから、釣竿、とりわけ握持保持されるグリップ部分のトータル重量が重くなってしまい、操作性の向上には限界がある。すなわち、従来の技術では、片手で操作できる釣竿において、操作性が向上できるような重量バランスにする、という視点は無く、単に、釣竿後端にバランサを配置するだけの技術思想に留まっている。特に、ルアーロッドや軽量船竿では、より軽量化が図れ、かつ操作性を向上することが望まれており、操作部から後方におけるグリップ部分の重量バランスについては、十分に考慮する必要がある。
【０００４】
本発明は、上記した問題に基づいてなされたものであり、その目的は、片手で操作するルアーロッドのような軽量な釣竿において、トータル重量を抑えると共に、操作性が最も向上するようにバランスがとれたグリップ部を有する釣竿を提供することにある。
【課題を解決するための手段】
【０００５】
上記した目的を達成するために、本発明の釣竿は、リールが装着される操作部の後方側にグリップ部を設けた構成において、前記グリップ部は、前方側に低比重化領域、その後方に高比重化領域を有することを特徴とする。
【０００６】
このような構成によれば、グリップ部に低比重化領域を設けたことにより、グリップ部全体の重量が軽量化されると共に、その後方にある高比重化領域によって慣性力を効果的に発生させることができ、キャスティング操作する際、或いはしゃくり操作する際の操作性が向上するようになる。
【０００７】
なお、このような構成では、上記したような慣性力を効果的に生じさせて操作性が向上するように、低比重化領域の単位体積あたりの比重は、１．０以下となるようにし、高比重化領域の単位体積あたりの比重は、５．０以上、好ましくは１０以上となるようにすることが好ましい。また、グリップ部の全長は、十分な慣性力が得られるように、１５０ｍｍ以上、好ましくは２００ｍｍ以上とし、グリップ部単体での重心位置は、グリップ部全長の７０％、好ましくは８０％より元側に位置するように構成することが好ましい。重心位置を、このような位置に設定することにより、持ち重り感を軽減し、操作性の向上が図れるようになる。
【発明の効果】
【０００８】
本発明によれば、片手で操作できるルアーロッドのような軽量な釣竿において、トータル重量を抑えて操作性が最も向上するようにバランスがとれた構成が得られる。
【発明を実施するための最良の形態】
【０００９】
以下、本発明の実施形態について図面を参照しながら説明する。  
図１は、本発明に係る釣竿の概略構成を示す図であり、図２は、グリップ部分における拡大図である。
【００１０】
図１に示す釣竿１は、複数の管状に形成された竿杆１ａと、これら竿杆１ａの内、元竿に取り付けられたグリップ部２と、このグリップ部２よりも先端側に装着され、各種のリール５０が着脱可能に装着されるリール脚固定装置（リールシート）３と、このリール脚固定装置３よりも先端側に装着されたフロントグリップ部５とを備えて構成されている。
【００１１】
前記竿杆１ａは、管状に構成されたもの以外にも、ソリッド状に構成されたり、これらが複合化された構成であっても良い。また、釣竿１は、特別な構成に限定されることはなく、振り出し式、並継式、１本竿など各種形態のものが含まれ、リール５０から繰り出される釣糸を案内する方式についても、図に示すような外ガイド１ｂを多数設けたもの以外にも、中通し式に構成したものであっても良い。
【００１２】
前記リール脚固定装置３は、雄ネジ部３ａに螺合する誘導フードに一体的に設けられた移動フード３ｂと、これに対向して配置された固定フード３ｃとを備えており、これらの間に各種のリール５０のリール脚が装着されて着脱可能となっている。また、リール脚固定装置３には、キャスティング時等に指を引っ掛けるように、トリガー３ｄが下方に向けて突出形成されており、この部分がリール５０と共に握持、保持される操作部となっている（操作部の領域をＬ１で示す）。なお、図に示すリール脚固定装置３は、主に、両軸受型リール（ベイトリール）が装着されるような構成となっているが、スピニングリールが装着されるような構成であっても良く、前記移動フードや固定フードの構成については適宜変形することが可能である。
【００１３】
前記グリップ部２は、リール脚固定装置３の後方側において、竿杆（元竿杆）の長手方向に沿ってその外側に設けられたものであれば良く、素材としては、握持感が良好で、低比重化が達成できるように、柔軟性のある部材（コルク、ＥＶＡ、天然ゴム、合成ゴム、エラストマー、発泡材等）で形成することが好ましい。この場合、グリップ部２は、竿杆１ａに対して、インジェクション成形して一体的に形成したり、或いは竿杆１ａの外面に接着剤等によって取着される。なお、フロントグリップ部５は、設けない構成であっても良いが、設ける場合、操作性、及び外観的な観点から同様な素材で形成することが好ましい。
【００１４】
前記グリップ部２は、後述するウエイト部材による慣性力を作用させて操作性が向上するように、全長Ｌ２が１５０ｍｍ以上、好ましくは２００ｍｍ以上に形成されると共に、キャスティング操作時、しゃくり操作時、或いはリーリング操作時等において、脇に挟んだ際に、操作の妨げにならないように、４００ｍｍ程度以下に形成することが好ましい。また、グリップ部２の外観形状は、適宜変形することが可能であり、例えば、ベイトリールが装着されるタイプでは、グリップ部２の前端部に、握り易いように膨出部２ａを設けても良い。
【００１５】
また、グリップ部２の比重や重量配分（後端部と主に中間より前方部分）は以下のようにすることが好ましい。  
（１）グリップ部分（グリップ部の部材や竿杆の部材）の単位長さあたりの重量を、後端部が重くなるようにする。同時に竿杆１ａの外径より大きく、グリップ部２の外径より小さい外径を有する高比重部材を配置する。好ましくは、グリップ部２の中に収納状態に配置する。  
（２）上記（１）のみでも良いが、更にグリップ部分の各部材の合計比重を調整する。具体的には、グリップ部２の中間より前方の合計比重を１．０以下、更には、０．７もしくは０．５以下にするのが良い。この場合、複数の部材を組み合わせるのであれば、それら全体としての比重を１．０以下、更には０．７もしくは０．５以下にすると良い。  
（３）比重や重量配分を調整するために、グリップ部２の部材や竿杆に、気泡や空室（空隙）の比率を多くした部材を用いたり、そのような層を形成しても良い。  
これにより強度低下を防止でき、強度向上・安定化と釣竿操作性の向上が図れる。  
上記（１）〜（３）の例では、比重や重量を軽くする位置をグリップ部の中間より前方として説明したが、後端部の重量や比重を重くした位置以外の全てを軽くしても良い。また、ウエイト部材以外を全て１．０以下等の低比重（単位体積比）にしても良い。
【００１６】
前記グリップ部２の後端部には、ウエイト部材１０が着脱可能に装着されており、高比重化領域を構成している。すなわち、グリップ部２は、図に示す範囲Ｌ３が低比重化領域として構成され、ウエイト部材１０が位置する範囲Ｌ４が高比重化領域として構成されている。
【００１７】
この場合、上記したグリップ部２における低比重化領域Ｌ３と高比重化領域Ｌ４については、グリップ部２の全長との関係で以下のように設定される。  
すなわち、低比重化領域Ｌ３については、竿杆１ａ及びグリップ部２を合わせた比重（単位体積あたりの比重）が１．０以下、好ましくは０．７以下さらには０．５以下となるように構成される。また、高比重化領域Ｌ４については、ウエイト部材１０によって比重（単位体積あたりの比重）が５．０以上、好ましくは１０以上となるように構成される。なお、比重が５．０以上になるようにするには、ウエイト部材１０の材料として、例えば、鉄、銅、ニッケル、すず、亜鉛、ステンレスなどを用いることができ、比重が１０以上になるようにするには、ウエイト部材１０の材料として、例えば、金、銀、モリブデン、鉛、白金、タングステンなどを用いることができる。そして、このように低比重化領域Ｌ３、及び、高比重化領域Ｌ４を構成するにあたり、重心位置Ｇが、グリップ全長Ｌ２の７０％、好ましくは７５％、より好ましくは８０％より元側に位置するように設定する。
【００１８】
具体的な好ましい重量配分は、竿杆１ａを含んだグリップ部２の単体、すなわち低比重化領域Ｌ３での重量が、軽量化が達成されるように、３〜２８ｇとなるように構成し、低比重化領域Ｌ３と高比重化領域Ｌ４との重量比率が１；２．３〜１；３３の範囲となるように構成される。
【００１９】
上記した構成の釣竿によれば、以下の作用、効果が得られる。  
上述したように、グリップ部２の前方側に低比重化領域Ｌ３を設けたことによって、グリップ部全体の重量が軽量化されると共に、その後方にある高比重化領域Ｌ４によって慣性力を効果的に発生させることができる。例えば、操作部領域Ｌ１を握る手と反対側の手をグリップ部２に添えてキャスティングしたり、肘や体に当てたり、脇に挟んでバランスを取る際の持ち重り感が軽減される。また、キャスティング操作する際、しゃくり操作する際、リーリング操作する際に、グリップ部の後端の高比重化領域Ｌ４で慣性力が効果的に作用するようになり、その操作性の向上が図れるようになる。更に、グリップ部のどの位置でも握持でき、又は支持でき、握持し易く釣竿を扱い易くできると共に、キャスティング時の操作性に優れる。特に、少ないパワー（力）で竿先のスピードをアップできる。
【００２０】
なお、上記したグリップ部２において、ウエイト部材１０に関しては交換可能に構成しておき、バランス調整できるように構成することが好ましい。また、グリップ部２は、その部材の比重を後端部は大きく（重く）中間位置より前方は小さく（軽く）するのが良い（０．３以下好ましくは０．２以下）。この場合、耐磨耗性は中間より前方は、後端部のそれより小さくても良い。さらに、竿杆１ａの重量を、単位長さ比で後端部は重く、中間位置より前方は軽くするのが良い。具体的には、一方を肉厚を厚く、他方を肉厚を薄くしたり、径を大きく又は小さくして調整する等、プリプレグの材料配分で相対的に後端部が重くなるようにすると良い。
【００２１】
図３は、上記した実施形態の変形例を示す図である。  
上記したグリップ部２の形状については、この図に示すように、中間部分で分断されて竿杆１ａが部分的に露出するような構成であっても良い。すなわち、グリップ部は、一体的に連続形成されることなく、リア第１グリップ１２ａ、及びリア第２グリップ１２ｂによって構成され、図に示す範囲Ｌ３が低比重化領域、範囲Ｌ４が高比重化領域となるように構成される。この場合、各領域の比重、長さ、材料等については、上記した実施形態と同様に構成される。
【００２２】
このようにグリップ部の形状については、適宜変形することが可能である。なお、この変形例のような形状では、リア第１グリップ１２ａに関し、前端部に膨出部を形成したり、或いは後方に向かってなだらかに縮径化させる等、より握り易いように構成することが好ましい。
【００２３】
以上、本発明の実施形態について説明したが、本発明は、釣竿のリール脚固定装置より後方に設けられたグリップ部に、上記したような低比重化領域、及び高比重化領域を設けたものであれば良く、それ以外の構成については、種々変形することが可能である。また、高比重化領域を構成するウエイト部材に関しては、その取り付け方法、乃至は着脱方法については、特定の構成に限定されることはなく、種々変形可能である。
【図面の簡単な説明】
【００２４】
【図１】本発明に係る釣竿の概略構成を示す図。
【図２】図１に示す釣竿のグリップ部分を拡大して示す図。
【図３】本発明の変形例を示す図。
【符号の説明】
【００２５】
１  釣竿
１ａ  竿杆
２  グリップ部
３  リール脚固定装置
１０  ウエイト部材
５０  リール
Ｌ１  操作部領域
Ｌ３  低比重化領域
Ｌ４  高比重化領域
【図１】
2005130767.tif 000003
【図２】
2005130767.tif 000004
【図３】
2005130767.tif 000005